(57)【要約】【課題】内容器を収納した状態でポンプ部材が容易に取り外されない二重容器を提供すること。【解決手段】内容器３と、内容器３を着脱自在に収納する筒状の外容器１１と、外容器１１に着脱自在に固定されて外容器１１の開口端を覆うと共に、内側に内容器３の口頚部６３が挿入される内筒部３３を有する肩カバー１２と、少なくとも一部が内筒部３３の内側に配置された状態で口頚部６３と螺合する下筒部４１を有するネジキャップ１３を有し、内部に内容器３内の内容物を流通可能な導入路が形成されたポンプ部材１４とを備え、内筒部３３が、内周面に形成された係合凸部対３６を有し、下筒部４１が、内周面に形成されて内容器３と螺合する雌ネジ部４５と、外周面に形成されて係合凸部対３６と係合してネジキャップ１３の軸回りの回転を規制する係合凸部４３とを有する。【選択図】図２
2008296940.tif 000002
【特許請求の範囲】
【請求項１】
内容器と、
該内容器を着脱自在に収納する筒状の外容器と、
該外容器に着脱自在に固定されて該外容器の開口端を覆うと共に、内側に前記内容器の口部が挿入される第１筒状部を有する肩カバーと、
少なくとも一部が前記第１筒状部と前記口部との間に配置された状態で前記口部と螺合する第２筒状部を有するネジキャップを有し、内部に前記内容器内の内容物を流通可能な導入路が形成されたポンプ部材とを備え、
前記第１筒状部が、内周面に形成された第１係合部を有し、
前記第２筒状部が、内周面に形成されて前記内容器と螺合する雌ネジ部と、外周面に形成されて前記第１係合部と係合して前記ネジキャップの軸回りの回転を規制する第２係合部とを有することを特徴とする二重容器。
【請求項２】
前記第１係合部が、前記第１筒状部の内周面から突出する一対の第１凸部であり、
前記第２係合部が、前記第２筒状部の外周面から突出すると共に、側面が前記一対の第１凸部それぞれにおいて周方向で互いに対向する対向面と当接可能な第２凸部であることを特徴とする請求項１に記載の二重容器。
【請求項３】
前記第２係合部が、前記第２筒状部の周方向に沿って複数形成されていることを特徴とする請求項１または２に記載の二重容器。
【請求項４】
前記肩カバーが、前記第１筒状部の内周面から突出して設けられ、前記第２筒状部の下端と当接可能な当接凸部を有することを特徴とする請求項１から３のいずれか１項に記載の二重容器。
【発明の詳細な説明】
【技術分野】
【０００１】
本発明は、二重容器に関するものである。
【背景技術】
【０００２】
この種の二重容器として、化粧水などの化粧料やシャンプー、リンス、液体石鹸などの内容物を充填した内容器を外装容器に収納し、この内容器の開口に取り付けられたポンプを操作することによって内容物を吐出する構成が知られている（例えば、特許文献１、２参照）。
【特許文献１】実用新案登録第２５８９４４３号公報
【発明の開示】
【発明が解決しようとする課題】
【０００３】
しかしながら、上記従来の二重容器には、以下の課題が残されている。すなわち、内容器を外装容器内に収容した状態でポンプが容易に取り外されないことが望まれている。
【０００４】
本発明は、前述の課題に鑑みてなされたもので、内容器を収納した状態でポンプが容易に取り外されない二重容器を提供することを目的とする。
【課題を解決するための手段】
【０００５】
本発明は、上記のような課題を解決するために以下のような手段を採用した。すなわち、本発明の二重容器は、内容器と、該内容器を着脱自在に収納する筒状の外容器と、該外容器に着脱自在に固定されて該外容器の開口端を覆うと共に、内側に前記内容器の口部が挿入される第１筒状部を有する肩カバーと、少なくとも一部が前記第１筒状部と前記口部との間に配置された状態で前記口部と螺合する第２筒状部を有するネジキャップを有し、内部に前記内容器内の内容物を流通可能な導入路が形成されたポンプ部材とを備え、前記第１筒状部が、内周面に形成された第１係合部を有し、前記第２筒状部が、内周面に形成されて前記内容器と螺合する雌ネジ部と、外周面に形成されて前記第１係合部と係合して前記ネジキャップの軸回りの回転を規制する第２係合部とを有することを特徴とする。
【０００６】
この発明によれば、第１及び第２係合部が互いに係合してネジキャップの軸回りでの回転を規制するため、内容器を外容器内に収納した状態において内容器とネジキャップとの螺合状態が解除されることを防止できる。すなわち、肩カバーの第１筒状部内にネジキャップの一部を収容した状態で内容器とネジキャップとを螺着すると、第２筒状部の外周面に設けられた第２係合部と肩カバーの第１筒状部の内周面に設けられた第１係合部とが係合する。これにより、ネジキャップの軸回りでの回転が規制され、外容器内に内容器を収納した状態でポンプ部材が外れにくくなる。
また、ネジキャップと肩カバーとが係合することにより、内容器の取り替えが容易になる。すなわち、第１及び第２係合部を互いに係合させると、ネジキャップが肩カバーに対して相対的に軸回りで回転しにくくなる。このため、ネジキャップ及び肩カバーを共に内容器に対して同方向で回転させることができる。したがって、肩カバーを保持した状態で、内容器をネジキャップに対して相対的に軸回りで回転させることで内容器とネジキャップとの螺着状態を解除できる。
さらに、第２係合部が第２筒状部の外周面に設けられると共に雌ネジ部が第２筒状部の内周面に設けられており、互いに第２筒状部の異なる面に形成されているため、金型を用いた樹脂成型によりネジキャップを形成するときの金型の離型が容易になる。
【０００７】
また、本発明の二重容器は、前記第１係合部が、前記第１筒状部の内周面から突出する一対の第１凸部であり、前記第２係合部が、前記第２筒状部の外周面から突出すると共に、側面が前記一対の第１凸部それぞれにおいて周方向で互いに対向する対向面と当接可能な第２凸部であることとしてもよい。
この発明によれば、第２凸部を一対の第１凸部の間に配置して第２凸部の両側面が一対の第１凸部それぞれと当接することにより、第１及び第２係合部を互いに係合させる。これにより、ネジキャップの肩カバーに対する軸回りでの回転を規制する。
【０００８】
また、本発明の二重容器は、前記第２係合部が、前記第２筒状部の周方向に沿って複数形成されていることが好ましい。
この発明によれば、第２係合部を複数箇所に設けることで第１及び第２係合部の位置合わせが容易に行え、ネジキャップと内容器とを螺着した状態において第１及び第２係合部を互いに係合させることが容易になる。
【０００９】
また、本発明の二重容器は、前記肩カバーが、前記第１筒状部の内周面から突出して設けられ、前記第２筒状部の下端と当接可能な当接凸部を有することが好ましい。
この発明によれば、ネジキャップと内容器との螺合状態を解除したときに、当接凸部がネジキャップの下端を支持するので、ネジキャップが第１筒状部から抜け落ちることを防止できる。したがって、内容器の取り替えがより容易になる。
【発明の効果】
【００１０】
この発明にかかる二重容器によれば、互いに係合した第１及び第２係合部によってネジキャップが軸回りで回転しにくくなるため、内容器を外容器内に収納した状態において内容器とネジキャップとの螺合状態が解除されることを防止し、ポンプ部材が容易に外れにくくなる。
【発明を実施するための最良の形態】
【００１１】
以下、本発明による二重容器の一実施形態を、図面に基づいて説明する。なお、以下の説明に用いる各図面では、各部材を認識可能な大きさとするために縮尺を適宜変更している。
【００１２】
本実施形態における二重容器１は、図１及び図２に示すように、外装容器２と、外装容器２内に収納される内容器３と、内容器３と螺合可能なネジキャップ１３を有するポンプ部材１４と、オーバーキャップ４とを備えている。
外装容器２は、有底筒状の外容器１１と、外容器１１に着脱自在に固定される肩カバー１２とを備えている。
【００１３】
外容器１１は、外装容器２の中心軸線Ｏに沿って形成された有底円筒形状を有しており、例えばアクリロニトリルとスチレンの共重合体であるＡＳ樹脂などの樹脂材料で構成されている。そして、外容器１１は、上端が開口端となっており、一体的に形成されたほぼ円板形状の底部２１及び円筒部２２を有している。
この円筒部２２の上端部は、他の部分と比較して薄肉の薄肉部２２ａとなっている。この薄肉部２２ａの外周には、径方向外方に向けて突出する第１取付凸部２２ｂが全周にわたって形成されている。
【００１４】
肩カバー１２は、図１から図３に示すように、ほぼ円筒形状を有しており、例えばアクリロニトリル、ブタジエン及びスチレンの共重合体であるＡＢＳ樹脂などの樹脂材料で構成されている。そして、肩カバー１２は、一体的に形成された外筒部３１、天板部３２及び内筒部（第１筒状部）３３を有している。
【００１５】
外筒部３１は、ほぼ円筒形状を有しており、肩カバー１２を外容器１１に取り付けた状態で円筒部２２の上端から上方に延びるように形成されている。ここで、外筒部３１の中心軸線は、肩カバー１２を外容器１１に取り付けた状態で外装容器２の中心軸線Ｏとほぼ一致している。そして、外筒部３１の下端部は、薄肉部２２ａの外周面を囲んでいる。この外筒部３１の下端部の内周面には、第１取付凸部２２ｂと係合する第２取付凸部３１ａが形成されている。
また、外筒部３１の上端部は、その外径が縮径する縮径部３１ｂとなっている。この縮径部３１ｂの外周面には、径方向外方に向けて突出する第３取付凸部３１ｃが全周にわたって形成されている。
【００１６】
天板部３２は、ほぼ円環形状を有しており、中央に平面視で円形の開口部３２ａが形成されている。そして、天板部３２の外周縁は、外筒部３１の上端に接続されている。この開口部３２ａの径は、ネジキャップ１３の外径よりも大きくなっている。この開口部３２ａ内には、外容器１１内に収納された内容器３の後述する口頚部（口部）６３が挿入される。
【００１７】
内筒部３３は、ほぼ円筒形状を有しており、肩カバー１２を外容器１１に取り付けた状態においてその中心軸線が外装容器２の中心軸線Ｏとほぼ一致している。そして、内筒部３３は、その上端が天板部３２の下面において開口部３２ａの周縁部に接続されており、肩カバー１２を外容器１１に取り付けた状態において外装容器２の中心軸線Ｏに沿って天板部３２から円筒部２２の開口端に向けて垂下するように形成されている。
【００１８】
また、内筒部３３の下端部には、図３（ｂ）に示すように、内周面から内筒部３３の径方向内方に向けて突出する２対の当接凸部３４、３５が形成されている。
一対の当接凸部３４は、内筒部３３の中心軸線に沿って内筒部３３の下端から中央部にわたって延設されている。そして、一対の当接凸部３４それぞれにおいて、内筒部３３の径方向における内側端面が互いに対向するように形成されている。
一対の当接凸部３５は、一対の当接凸部３４と同様に、内筒部３３の中心軸線に沿って内筒部３３の下端から中央部にわたって延設されている。ここで、一対の当接凸部３５それぞれの上端面と、一対の当接凸部３４それぞれの上端面とは、ほぼ同一の水平面上に位置している。そして、一対の当接凸部３５それぞれにおいて、内筒部３３の径方向における内側端面は、互いにこの内筒部３３の径方向で対向している。
これら一対の当接凸部３４及び一対の当接凸部３５それぞれの上端面に、ネジキャップ１３の下端が当接可能となっている。
【００１９】
さらに、内筒部３３の中心軸線方向における中央部には、図３（ｂ）及び図３（ｃ）に示すように、内周面から内筒部３３の径方向内方に向けて突出する係合凸部対（第１係合部）３６が内筒部３３の周方向に間隔をあけて複数（図３（ｂ）及び図３（ｃ）では４つ）形成されている。
係合凸部対３６は、内筒部３３の内周面のうち２対の当接凸部３４、３５それぞれの上端面から内筒部３３の上端に向けて内筒部３３の中心軸線に沿って形成されている。また、複数の係合凸部対３６は、内筒部３３の周方向に等間隔をあけて形成されている。
【００２０】
係合凸部対３６を構成する２つの係合凸部（第１凸部）３６ａは、互いに近接して形成されている。ここで、係合凸部３６ａの突出量は、２対の当接凸部３４、３５の突出量よりも小さくなるように形成されている。係合凸部３６ａは、図３（ｃ）に示すように、２つの側面（対向面）３７ａ、３７ｂを有している。ここで、２つの側面３７ａ、３７ｂは、ネジキャップ１３を内容器３と螺合させる際のネジキャップ１３の回転方向前方側の側面３７ａと内筒部３３の内周面とのなす角度が、他方の側面３７ｂと内筒部３３の内周面とのなす角度よりも大きくなるように形成されている。
【００２１】
ネジキャップ１３は、図１、図２及び図４に示すように、ほぼ円筒形状を有しており、例えばＡＢＳ樹脂などの樹脂材料で構成されている。そして、ネジキャップ１３は、一体的に形成された下筒部（第２筒状部）４１及び固定部４２を有している。
【００２２】
下筒部４１は、ほぼ円筒形状を有しており、その外径が内筒部３３の内径よりも小さくなっている。そして、下筒部４１は、下端側の一部が内筒部３３の内側に配置されている。ここで、下筒部４１の中心軸線は、内容器３をネジキャップ１３に螺着した状態で外容器１１内に収納した状態で外装容器２の中心軸線Ｏとほぼ一致している。
そして、下筒部４１の下端部の外周面には、図４（ｂ）及び図４（ｃ）に示すように、外方に向けて突出する係合凸部（第２係合部、第２凸部）４３が複数形成されている。
【００２３】
複数の係合凸部４３は、下筒部４１の下端部の外周面において歯車状となるように外周面の周方向で等間隔に形成されている。また、係合凸部４３は、図４（ｃ）に示すように、２つの側面４４ａ、４４ｂを有している。ここで、２つの側面４４ａ、４４ｂは、ネジキャップ１３を内容器３と螺合させる際のネジキャップ１３の回転方向前方側の側面４４ａと下筒部４１の外周面とのなす角度が、他方の側面４４ｂと下筒部４１の外周面とのなす角度よりも小さくなるように形成されている。
また、下筒部４１の内周面には、図１、図２及び図４（ａ）に示すように、内容器３の後述する雄ネジ部６４と螺合可能な雌ネジ部４５が形成されている。
【００２４】
固定部４２は、図１、図２、図４（ａ）及び図４（ｂ）に示すように、一体的に形成された上筒部４６、底部４７及び嵌合部４８を有している。
上筒部４６は、ほぼ円筒形状を有しており、その下端が下筒部４１の上端に接続されている。ここで、上筒部４６の中心軸線は、内容器３をネジキャップ１３に螺着した状態で外容器１１内に収納した状態において外装容器２の中心軸線Ｏとほぼ一致している。そして、上筒部４６は、上端に向かうにしたがってその外径が縮径するように形成されている。
底部４７は、ほぼ円環形状を有しており、その外縁が下筒部４１の上端及び上筒部４６の下端に接続されている。
【００２５】
嵌合部４８は、ほぼ円筒形状を有しており、その下端が底部４７の内縁に接続されている。この嵌合部４８は、底部４７の内縁からネジキャップ１３の軸方向に沿って上側に向けて延在する第１円筒部４８Ａと、第１円筒部４８Ａの上端においてネジキャップ１３の軸方向に沿って下側に向けて折り返された第２円筒部４８Ｂとを有している。そして、嵌合部４８は、図１及び図２に示すように、第１円筒部４８Ａの外周面と第２円筒部４８Ｂの内周面との間に形成された間隙に後述するシリンダ部材５０の上端部５１を嵌め合わせることにより、シリンダ部材５０をネジキャップ１３に固着している。なお、底部４７の下面には、リング部材４９が設けられている。
【００２６】
ポンプ部材１４の内部には、内容器３内に充填された内容物を流通可能な導入路（図示略）が形成されている。そして、ポンプ部材１４は、内部にピストン部材（図示略）が配置されたシリンダ部材５０を備えている。このシリンダ部材５０は、その下端部が内容器３内に垂下されており、上端部５１が嵌合部４８を構成する第１及び第２円筒部４８Ａ、４８Ｂの間の間隙に嵌合している。
ここで、ポンプ部材１４の上端部には、押下ヘッド１５が装着されている。この押下ヘッド１５には、上記導入路内に導入した内容物を外部に噴出させるノズル部材５２が設けられている。このノズル部材５２の開口端側は、押下ヘッド１５から突出している。また、押下ヘッド１５の外径は、上筒部４６の内径よりも小さくなっている。これにより、押下ヘッド１５がネジキャップ１３の上筒部４６の内側において外装容器２の中心軸線Ｏに沿って上下に移動可能となる。
【００２７】
ポンプ部材１４は、シリンダ部材５０内で上方付勢されたピストン部材が押下ヘッド１５の下降と共に摺動下降することによりシリンダ部材５０内の内容物を圧縮し、ノズル部材５２の開口端から内容物を噴射させる構成となっている。そして、押下ヘッド１５及び上記ピストン部材の復帰動作によってシリンダ部材５０内を負圧とすることにより、内容器３内に充填されている内容物をシリンダ部材５０内に導入する構成となっている。
【００２８】
内容器３は、例えばＰＥＴ（ポリエチレンテレフタレート）などの樹脂材料で構成されている。そして、内容器３は、一体的に形成された胴部６１、肩部６２及び口頚部６３を有している。
胴部６１は、有底円筒形状を有しており、その外径が外容器１１の円筒部２２の内径よりも小さくなっている。
口頚部６３は、その外周面にネジキャップ１３に形成された雌ネジ部４５と螺合する雄ネジ部６４を有している。
【００２９】
オーバーキャップ４は、例えばポリエステル系樹脂などの樹脂材料で構成されている。そして、オーバーキャップ４の下端部の内周面には、第３取付凸部３１ｃと係合する第４取付凸部４ａが内周に沿って形成されている。これにより、オーバーキャップ４は、肩カバー１２から突出しているポンプ部材１４及び押下ヘッド１５を被覆する。
【００３０】
次に、以上のような構成の外装容器２内に内容器３を収納する方法について説明する。
まず、内部に内容物が充填された内容器３を外容器１１内に収納する。そして、肩カバー１２を外容器１１に装着する。ここでは、肩カバー１２の外筒部３１の下端部で外容器１１の薄肉部２２ａの外周面を囲んだ状態で、肩カバー１２を外装容器２の中心軸線Ｏに沿って下方向に押し込む。そして、肩カバー１２の第２取付凸部３１ａが外容器１１の第１取付凸部２２ｂを乗り越え、第１及び第２取付凸部２２ｂ、３１ａが互いに係合する。これにより、肩カバー１２が外容器１１に装着される。このとき、内容器３の口頚部６３は、肩カバー１２から突出している。
【００３１】
続いて、ネジキャップ１３を内容器３に螺着する。ここでは、ネジキャップ１３の下筒部４１に形成された雌ネジ部４５を肩カバー１２から突出している内容器３の雄ネジ部６４と螺合させる。このとき、ネジキャップ１３を内容器３に螺合していくと、図５に示すように、肩カバー１２に形成された４対の係合凸部対３６とネジキャップ１３に形成された複数の係合凸部４３とが噛み合って係合する。そのため、ネジキャップ１３を軸回りで回転させるためには、係合凸部４３が係合凸部３６ａの側面３７ａ、３７ｂのいずれか一方を乗り越える必要がある。なお、図５に示す矢印Ａは、螺合時におけるネジキャップ１３の回転方向を示している。
【００３２】
ここで、上述したように、係合凸部４３の側面４４ａと下筒部４１の外周面とのなす角度が、他の側面４４ｂと外周面とのなす角度よりも小さくなっている。また、係合凸部３６ａのうち係合凸部４３の側面４４ａと対向する側面３７ｂと内筒部３３の内周面とのなす角度が、他の側面３７ａと内周面とのなす角度よりも小さくなっている。そのため、係合凸部対３６と係合凸部４３とが互いに噛み合っていても、ネジキャップ１３を内容器３に螺合させる回転方向においては、その回転抵抗が小さい。したがって、ネジキャップ１３を内容器３に螺着させる方向（図５に示す矢印Ａ方向）において係合凸部４３が係合凸部３６ａの側面３７ｂを乗り越えやすいため、ネジキャップ１３を内容器３に螺着させる方向に回転可能となる。
【００３３】
また、上述したように、係合凸部４３の側面４４ｂと下筒部４１の外周面とのなす角度が他の側面４４ａと外周面とのなす角度よりも大きく、係合凸部３６ａのうち係合凸部４３の側面４４ｂと対向する側面３７ａと内筒部３３の内周面とのなす角度が他の側面３７ｂと内周面とのなす角度よりも大きくなっている。そのため、ネジキャップ１３を内容器３に螺着した状態で、ネジキャップ１３を内容器３に対して螺着状態を解除する方向（図５に示す矢印Ａ方向とは逆方向）においては、係合凸部４３が係合凸部３６ａの側面３７ａを乗り越えにくくなる。したがって、上述と比較してその回転抵抗が大きくなり、ネジキャップ１３を内容器３との螺着状態を解除する方向に回転することができなくなる。これにより、ネジキャップ１３の回転が係合凸部対３６と係合凸部４３により規制される。
【００３４】
その後、オーバーキャップ４を肩カバー１２に装着する。ここでは、オーバーキャップ４の下端部で肩カバー１２の縮径部３１ｂの外周を囲んだ状態で、オーバーキャップ４を外装容器２の中心軸線Ｏに沿って下方向に押し込む。これにより、オーバーキャップ４の第４取付凸部４ａが肩カバー１２の第３取付凸部３１ｃを乗り越え、第３及び第４取付凸部３１ｃ、４ａが互いに係合することにより、オーバーキャップ４が肩カバー１２に装着される。以上のようにして、外装容器２内に内容器３を収納して二重容器１を形成する。
【００３５】
なお、内容器３を取り外す場合には、オーバーキャップ４を肩カバー１２から離脱させた後、肩カバー１２を外容器１１から離脱させる。このとき、肩カバー１２と共にネジキャップ１３及び内容器３も外容器１１から離脱する。
そして、肩カバー１２及びネジキャップ１３の少なくとも一方を保持した状態で、内容器３を肩カバー１２及びネジキャップ１３に対して相対的に軸回りで回転させることにより、ネジキャップ１３と内容器３との螺着状態を解除する。このとき、係合凸部対３６と係合凸部４３とが互いに噛合しているため、肩カバー１２及びネジキャップ１３のいずれか一方を保持した場合であっても、保持していない他方が内容器３と共に回転することが防止される。また、ネジキャップ１３の下端が２対の当接凸部３４、３５の上端と当接するため、ネジキャップ１３と内容器３との螺着状態を解除したとき、ネジキャップ１３が肩カバー１２の内筒部３３から抜け落ちることを防止する。
【００３６】
このような構成の二重容器１によれば、互いに係合した係合凸部対３６と係合凸部４３とがネジキャップ１３の回転を規制するので、内容器３を外容器１１内に収納した状態で内容器３とネジキャップ１３との螺合状態が解除されることを防止できる。これにより、内容器３を外容器１１内に収納した状態でポンプ部材１４が容易に外れなくなる。
また、内容器３を取り外す際、肩カバー１２を保持した状態で内容器３をネジキャップ１３に対して相対的に軸回りで回転させることで内容器３とネジキャップ１３との螺着状態を解除できる。
そして、係合凸部４３が下筒部４１の外周面に形成されると共に雌ネジ部４５が下筒部４１の内周面に形成されているため、金型を用いた樹脂成形によるネジキャップ１３の形成時の離型が容易になる。
【００３７】
また、下筒部４１の外周面に沿って複数の係合凸部４３を形成することにより、ネジキャップ１３と内容器３とを螺着した状態において係合凸部対３６と係合凸部４３とを容易に係合させることができる。
そして、当接凸部３４、３５を形成することにより、ネジキャップ１３と内容器３との螺着状態を解除したときに、ネジキャップ１３が肩カバー１２から抜け落ちることを防止できる。これにより、内容器３の取り替えが容易になる。
【００３８】
なお、本発明は上記実施形態に限定されるものではなく、本発明の趣旨を逸脱しない範囲において種々の変更を加えることができる。
例えば、肩カバーは、内筒部の内周面に設けられた４対の係合凸部を有しているが、ネジキャップに設けられた係合凸部と係合することによりネジキャップの肩カバーに対する回転を防止できればよく、一対の係合凸部や他の複数対の係合凸部を有していてもよいし、少なくとも一つの係合凸部を有していればよい。
同様に、ネジキャップは、下筒部の外周面に設けられた複数の係合凸部を有しているが、肩カバーに設けられた一対の係合凸部と係合することによってネジキャップの肩カバーに対する回転を防止できればよく、少なくとも１つの係合凸部を有していればよい。
【００３９】
また、肩カバーとネジキャップとは、内筒部の内周面に設けられた一対の係合凸部の間に下筒部の外周面に設けられた係合凸部を配置することによって互いに係合させているが、第１係合部が内筒部の内周面に設けられると共に第２係合部が下筒部の外周面に設けられていれば、他の方法により互いに係合する構成としてもよい。
そして、肩カバーは、内筒部の下端部に設けられた２対の当接凸部を有しているが、ネジキャップと内容器との螺合状態を解除したときにネジキャップが肩カバーから抜け落ちることを防止できればよく、少なくとも１つの当接凸部が設けられていればよい。ここで、肩カバーには、当接凸部が設けられていなくてもよい。
また、当接凸部の内周面と内容器の外周面を当接させることにより、内容器と肩カバーとの回動を抑制することもできる。
【００４０】
また、肩カバーは、外容器に対して互いの取付凸部を係合させることにより装着する構成となっているが、肩カバーが外容器に対して着脱自在に装着可能であれば、外容器に対して螺着することにより装着する構成としてもよい。
そして、外装容器及び二重容器は、その外径が円柱形状を有しているが、他の形状であってもよい。
さらに、シリンダ部材は、内容器内に充填された内容物を噴霧する構成であってもよい。
【産業上の利用可能性】
【００４１】
この発明によれば、内容器を収納した状態でポンプ部材が容易に取り外されない二重容器に関して、産業上の利用可能性が認められる。
【図面の簡単な説明】
【００４２】
【図１】本発明の一実施形態における二重容器を示す部分断面図である。
【図２】図１の部分拡大図である。
【図３】図１及び図２の肩カバーを示すもので、（ａ）が部分断面図、（ｂ）が平面図、（ｃ）が係合凸部の拡大図である。
【図４】図１及び図２のネジキャップを示すもので、（ａ）が部分断面図、（ｂ）が平面図、（ｃ）が係合凸部の拡大図である。
【図５】肩カバーとネジキャップとの係合状態を示す拡大図である。
【符号の説明】
【００４３】
１  二重容器、３  内容器、１１  外容器、１２  肩カバー、１３  ネジキャップ、１４  ポンプ部材、３３  内筒部（第１筒状部）、３４，３５  当接凸部、３６  係合凸部対（第１係合部）、３６ａ  係合凸部（第１凸部）、３７ａ，３７ｂ  側面（対向面）、４１  下筒部（第２筒状部）、４３  係合凸部（第２係合部，第２凸部）、４５  雌ネジ部、６３  口頚部（口部）
【図１】
2008296940.tif 000003
【図２】
2008296940.tif 000004
【図３】
2008296940.tif 000005
【図４】
2008296940.tif 000006
【図５】
2008296940.tif 000007